(57)【要約】      （修正有）【課題】紙と紙との間の距離を調整し、スキャン処理時の画像の不均一を減らすことができる紙伝送コントロール機構を提供する。【解決手段】紙伝送コントロール機構は、紙ピックアップ機構、紙セパレート機構２０、ディテクト機構３０、画像スキャン機構を備える。紙ピックアップ機構はローラセット１１と圧合機構１２を備え、紙ピックアップ動作を完成し、紙セパレート機構２０は紙ピックアップ機構が伝送してきた紙を分離する。ディテクト機構３０は紙ピックアップ機構と紙セパレート機構後方に設置され、発射端、及び発射端と間隔を開けて設置する受信端を備える。分離された紙は発射端と受信端との間を通過し、後方へと伝送される。ディテクト機構３０は前後の紙の相対間隔距離を感知し、異常があれば紙ピックアップ機構にメッセージを送り、紙ピックアップ機構を駆動して、紙の伝送速度を調整し、前後の紙の相対間隔距離を変える。【選択図】図１
0003194064.tif 000002
【実用新案登録請求の範囲】
【請求項１】
紙伝送コントロール機構であって、伝送過程における紙と紙との間の相対間隔距離をコントロールすることができ、紙ピックアップ機構、紙セパレート機構、ディテクト機構、画像スキャン機構を備え、
前記紙ピックアップ機構は、紙ピックアップローラーセット、圧合機構、紙ピックアップ伝動機構を備え、前記紙ピックアップ伝動機構は、前記紙ピックアップローラーセットの片側に設置され、前記紙ピックアップローラーセットの回転を駆動し、前記圧合機構は、前記紙ピックアップローラーセットの上方に設置し、前記圧合機構の紙への圧合、及び前記紙ピックアップローラーセットの回転を通して紙ピックアップ動作を完成させ、
前記紙セパレート機構は、前記紙ピックアップローラーセット上方に設置し、前記圧合機構後方に位置し、前記紙セパレート機構は、前記紙ピックアップ機構が伝送してきた紙を分離し、
前記ディテクト機構は、前記紙ピックアップ機構と前記紙セパレート機構の後方に設置され、発射端、及び前記発射端と間隔を開けて対応し設置する受信端を備え、
前記紙セパレート機構が、前記紙ピックアップローラーセットに対応して分離した紙は、前記発射端と前記受信端との間を通過して後方へと伝送され、
前記ディテクト機構の発射端と受信端は、一つ前の紙の末端と一つ後の紙の先端との相対間隔距離を感知し、一つ前の紙の末端と一つ後の紙の先端との相対間隔距離に異常がある時には、前記ディテクト機構は、前記紙ピックアップ伝動機構に、メッセージを送り、前記紙ピックアップ伝動機構により、前記紙ピックアップローラーセットを駆動して、紙の伝送速度を速くし、或いは遅くし、こうして紙と紙との間の相対間隔距離を変えることを特徴とする紙伝送コントロール機構。
【請求項２】
前記圧合機構は、圧板、圧合ローラーを備え、
前記圧合ローラーは、回転可能状に、前記圧板上に設置し、
前記圧板による紙の圧合、及び前記紙ピックアップローラーセットによる圧合ローラーの回転連動により、紙ピックアップ動作を完成し、後方へと紙を伝送することを特徴とする請求項１に記載の紙伝送コントロール機構。
【請求項３】
前記紙ピックアップローラーセットは、第一紙ピックアップローラー、第二紙ピックアップローラー、第三紙ピックアップローラーを備え、
前記第一紙ピックアップローラー、前記第二紙ピックアップローラー、前記第三紙ピックアップローラーは、同一の水平面上に設置し、
前記第一紙ピックアップローラーは、前記第二紙ピックアップローラーの前方に位置し、しかも前記第三紙ピックアップローラーは前記第一紙ピックアップローラーと前記第二紙ピックアップローラーとの間に設置し、
前記圧合機構は、前記紙ピックアップローラーセットの第一紙ピックアップローラーと第三紙ピックアップローラー上方に設置し、前記紙セパレート機構は、前記紙ピックアップローラーセットの第二紙ピックアップローラー上方に設置することを特徴とする請求項１に記載の紙伝送コントロール機構。
【請求項４】
前記紙ピックアップ伝動機構は、モーター、ベルト、伝動ギアセットを備え、
前記紙ピックアップ伝動機構のモーターは、前記紙ピックアップローラーセット片側に設置し、前記紙ピックアップローラーセットの第二紙ピックアップローラーの回転を駆動し、
前記ベルトは、前記第一紙ピックアップローラーと前記第二紙ピックアップローラー上に嵌めて設置し、しかも前記第二紙ピックアップローラーは、前記ベルトに伝動され前記第一紙ピックアップローラーを伝動し、同期回転を実現し、
前記伝動ギアセットは、前記第一紙ピックアップローラーと前記第三紙ピックアップローラー上にそれぞれ設置し、しかも同一側に位置し、相互に噛み合い、
作動時には、前記第一紙ピックアップローラーは、伝動ギアセットを通して、前記第三紙ピックアップローラーの回転を連動することを特徴とする請求項３に記載の紙伝送コントロール機構。
【請求項５】
前記紙伝送コントロール機構はさらに、画像スキャン機構を備え、
前記画像スキャン機構はさらに、紙フィードローラーセット、画像スキャンユニット、紙アウトプットローラーセットを備え、
前記紙フィードローラーセットは、前記ディテクト機構後方に設置し、前記紙ピックアップ機構に隣接し、前記紙アウトプットローラーセットは、前記紙フィードローラーセット後方に設置し、前記画像スキャン機構は、前記紙フィードローラーセットと前記紙アウトプットローラーセットとの間に設置することを特徴とする請求項１に記載の紙伝送コントロール機構。
【請求項６】
前記ディテクト機構は、ギャップセンサー（ＧＡＰ  ＳＥＮＳＯＲ）であることを特徴とする請求項１に記載の紙伝送コントロール機構。
【請求項７】
前記ディテクト機構の発射端は、前記受信端上方に設置し、しかも前記発射端と前記受信端とは、相対的に垂直位置を呈することを特徴とする請求項１に記載の紙伝送コントロール機構。
【請求項８】
前記ディテクト機構の発射端は、前記受信端の上方に設置し、前記受信端の上方とは、一定の角度を呈することを特徴とする請求項１に記載の紙伝送コントロール機構。  
【請求項９】
前記発射端と前記受信端の位置は、互換可能であることを特徴とする請求項７或いは８に記載の紙伝送コントロール機構。
【考案の詳細な説明】
【技術分野】
【０００１】
本考案は、紙伝送コントロール機構に関し、伝送過程の相対位置において紙をモニタでき、これにより紙と紙との間の距離を調整し、画像の問題発生を減らすことができる紙伝送コントロール機構に関する。
【背景技術】
【０００２】
一般のプリンター、多機能事務機、フィード式スキャナーなどは、紙ピックアップ機構、紙セパレート機構、画像スキャン機構を備える。紙ピックアップ機構、紙セパレート機構、画像スキャン機構は、画像スキャン装置中に設置され、作動時には、紙セパレート機構が分離し、紙ピックアップ機構が取った紙は、画像スキャン機能に送られ、画像処理が行われる。しかし、紙の伝送中には、ローラーの磨耗、或いは滑りなどの問題により、紙の位置に差異が生じる。これにより、紙と紙との間の相対間隔距離が固定されず、画像スキャン処理時の画像は大きさが不均一になってしまう。  
【考案の概要】
【考案が解決しようとする課題】
【０００３】
しかし、上述した考案は使用上に欠点があり、改善する必要がある。その原因は下記の通りである。
【０００４】
上述した考案では、紙の伝送中には、ローラーの磨耗、或いは滑りなどの問題により、紙の位置に差異が生じ、これにより、紙と紙との間の相対間隔距離が固定されず、画像スキャン処理時の画像は大きさが不均一になってしまう。本考案は、上述の問題に鑑みてなされたものであり、その目的は、伝送過程の相対位置において紙をモニタでき、これにより紙と紙との間の距離を調整し、画像の問題発生を減らすことができる紙伝送コントロール機構を提供することにある。
【０００５】
本考案は、上述の問題に鑑みてなされたものであり、その目的は、伝送過程の相対位置において紙をモニタでき、これにより紙と紙との間の距離を調整し、画像の問題発生を減らすことができる紙伝送コントロール機構を提供することにある。
【課題を解決するための手段】
【０００６】
本考案による紙伝送コントロール機構は、伝送過程における紙と紙との間の相対間隔距離をコントロールすることができる紙伝送コントロール機構であって、紙ピックアップ機構、紙セパレート機構、ディテクト機構、画像スキャン機構を備える。
紙ピックアップ機構は、紙ピックアップローラーセット、圧合機構、紙ピックアップ伝動機構を備える。
紙ピックアップ伝動機構は、紙ピックアップローラーセットの片側に設置され、紙ピックアップローラーセットの回転を駆動する。
圧合機構は、紙ピックアップローラーセットの上方に設置し、圧合機構の紙への圧合、及び紙ピックアップローラーセットの回転を通して紙ピックアップ動作を完成させる。
紙セパレート機構は、紙ピックアップローラーセット上方に設置し、圧合機構後方に位置する。紙セパレート機構は、紙ピックアップ機構が伝送してきた紙を分離する。
ディテクト機構は、紙ピックアップ機構と紙セパレート機構の後方に設置され、発射端、及び発射端と間隔を開けて対応し設置する受信端を備える。
紙セパレート機構が、紙ピックアップローラーセットに対応して分離した紙は、発射端と受信端との間を通過して後方へと伝送される。
ディテクト機構の発射端と受信端は、一つ前の紙の末端と一つ後の紙の先端との相対間隔距離を感知し、一つ前の紙の末端と一つ後の紙の先端との相対間隔距離に異常がある時には、ディテクト機構は、紙ピックアップ伝動機構に、メッセージを送り、紙ピックアップ伝動機構により、紙ピックアップローラーセットを駆動して、紙の伝送速度を速くし、或いは遅くし、こうして紙と紙との間の相対間隔距離を変える。
【考案の効果】
【０００７】
本考案は、ディテクト機構の発射端と受信端を利用し、一つ前の紙の末端と一つ後の紙の先端との相対間隔距離を感知し、これにより紙と紙との間の距離を調整して一致させ、画像の問題発生を減らすことができる。
【図面の簡単な説明】
【０００８】
【図１】本考案の一実施形態による紙伝送コントロール機構の立体図である。
【図２】本考案の紙伝送コントロール機構の側視図である。
【図３】本考案の紙伝送コントロール機構の別の角度の側視図である。
【図４】本考案の紙伝送コントロール機構のディテクト機構の模式図である。
【考案を実施するための形態】
【０００９】
以下に図面を参照しながら本考案を実施するための最良の形態について詳細に説明する。
【実施例１】
【００１０】
本考案の一実施形態による紙伝送コントロール機構を図面に基づいて説明する。図１、２、３に示すように、本考案の一実施形態による紙伝送コントロール機構１００は、伝送過程における紙と紙との間の相対間隔距離をコントロールすることができ、紙ピックアップ機構（図示なし）、紙セパレート機構２０、ディテクト機構３０、画像スキャン機構４０を備える。
【００１１】
図１〜３に示すように、紙ピックアップ機構は、紙ピックアップローラーセット１１、圧合機構１２、紙ピックアップ伝動機構（図示なし）を備える。紙ピックアップローラーセット１１はさらに、第一紙ピックアップローラー１１１、第二紙ピックアップローラー１１２、第三紙ピックアップローラー１１３を備える。第一紙ピックアップローラー１１１、第二紙ピックアップローラー１１２、第三紙ピックアップローラー１１３は、同一の水平面上に設置する。第一紙ピックアップローラー１１１は、第二紙ピックアップローラー１１２の前方に位置し、しかも第三紙ピックアップローラー１１３は第一紙ピックアップローラー１１１と第二紙ピックアップローラー１１２との間に設置する。圧合機構１２は、圧板１２１、圧合ローラー１２２を備える。圧合機構１２の圧合ローラー１２２は、回転可能状に、圧板１２１上に設置する。圧合機構１２は、紙ピックアップローラーセット１１の第一紙ピックアップローラー１１１と第三紙ピックアップローラー１１３上方に設置する。圧合機構１２の圧板１２１を通して紙を圧合し、紙ピックアップローラーセット１１の第一紙ピックアップローラー１１１が旋回して、圧合機構の圧合ローラー１２２を連動し、紙のピックアップ動作を完成する。さらに、紙ピックアップローラーセット１１の第三紙ピックアップローラー１１３を通して、後方へと紙を伝送する。紙ピックアップ伝動機構はさらに、モーター１３１、ベルト１３２、伝動ギアセット１３３を備える。紙ピックアップ伝動機構のモーター１３１は、紙ピックアップローラーセット１１片側に設置し、紙ピックアップローラーセット１１の第二紙ピックアップローラー１１２の回転を駆動する。ベルト１３２は、第一紙ピックアップローラー１１１と第二紙ピックアップローラー１１２上に嵌めて設置し、しかも第二紙ピックアップローラー１１２は、ベルト１３２に伝動され第一紙ピックアップローラー１１１を伝動し、同期回転を実現する。伝動ギアセット１３３は、第一紙ピックアップローラー１１１と第三紙ピックアップローラー１１３上にそれぞれ設置し、しかも同一側に位置し、相互に噛み合う。作動時には、第一紙ピックアップローラー１１１は、伝動ギアセット１３３を通して、第三紙ピックアップローラー１１３の回転を連動する。本実施形態では、紙ピックアップ伝動機構の回転を通して、紙ピックアップローラーセット１１の回転と圧合機構１２の圧合を連動し、紙ピックアップ動作を完成し、後方へと紙を伝送する。
【００１２】
紙セパレート機構２０は、圧合機構１２の圧板１２１後方及び紙ピックアップローラーセット１１の第二紙ピックアップローラー１１２上方に設置する。本実施形態では、紙セパレート機構２０は、一組の紙セパレートにより組成される。紙セパレート機構２０の作用は、紙ピックアップ機構が伝送してきた紙を分離し、紙ピックアップローラーセット１１の第二紙ピックアップローラー１１２に対応して、分離した紙を、後方の画像スキャン機構４０へと伝送することである。
【００１３】
図１〜４に示すように、ディテクト機構３０は、紙ピックアップ機構と紙セパレート機構２０の後方に設置され、しかも画像スキャン機構４０の前方に設置される。ディテクト機構３０は、発射端３１、及び発射端３１と間隔を開けて対応し設置する受信端３２を備える。作動時には、紙セパレート機構２０が紙ピックアップローラーセット１１に対応して分離した紙は、ディテクト機構３０の発射端３１と受信端３２との間を通過し、後方の画像スキャン機構４０へと伝送される。この時、ディテクト機構３０の発射端３１及び受信端３２は、一つ前の紙の末端と一つ後の紙の先端との相対間隔距離を感知する。一つ前の紙の末端と一つ後の紙の先端との相対間隔距離に異常がある時には、ディテクト機構３０は紙ピックアップ伝動機構に、メッセージを送り、モーター１３１の回転速度を速く、或いは遅くする。紙ピックアップ伝動機構のモーター１３１により、紙ピックアップローラーセット１１を連動し、紙の伝送速度を速くし、或いは遅くする。こうして、前後の紙の間の相対間隔距離を調整して一致させ、紙間の相対間隔距離が不安定になるという問題を改善することができる。
【００１４】
本実施形態では、ディテクト機構３０は、一組のギャップセンサー（ＧＡＰ  ＳＥＮＳＯＲ）である。発射端３１は、受信端３２上方に設置し、しかも発射端３１と受信端３２とは、相対的に垂直位置を呈する。但し、発射端３１と受信端３２との設置は、上記した垂直方式に限定するものではなく、信号の発射と受信ができればよく、例えば、発射端３１と受信端３２とは、一定の角度を呈して設置することもできる。しかも、発射端３１とレシーブ端３２との位置は、互換することもできる。
【００１５】
図２、３に示すように、画像スキャン機構４０は、紙フィードローラーセット４１、画像スキャンユニット４２、紙アウトプットローラーセット４３を備える。紙フィードローラーセット４１は、ディテクト機構３０後方に設置し、紙ピックアップ機構に隣接する。すなわち、ディテクト機構３０は、紙ピックアップローラーセット１１と紙セパレート機構２０と紙フィードローラーセット４１との間に設置する。紙フィードローラーセット４１は、紙フィード受動ローラー４１１、紙フィード主動ローラー４１２を備える。紙アウトプットローラーセット４３は、紙フィードローラーセット４１後方に設置する。画像スキャンユニット４２は、紙フィードローラーセット４１と紙アウトプットローラーセット４３との間に設置する。紙アウトプットローラーセット４３は、紙アウトプット受動ローラー４３１、紙アウトプット主動ローラー４３２を備える。紙フィードローラーセット４１は、紙セパレート機構２０が分離し、ディテクト機構３０を通過した紙を受け取り、紙フィード主動ローラー４１２及び紙フィード受動ローラー４１１を通過し、画像スキャンユニット４２へと伝送される。スキャン動作の完成後は、紙アウトプットローラーセット４３の紙アウトプット主動ローラー４３２及び紙アウトプット受動ローラー４３１を通過し、継続して後方へと伝送される。
【００１６】
上記を総合すると、本考案の紙伝送コントロール機構１００は、ディテクト機構３０の発射端３１及び受信端３２を利用し、セパレート後の一つ前の紙の末端と一つ後の紙の先端との間の相対間隔距離を感知し、これにより紙と紙との間の距離を調整して一致させ、こうして画像への問題発生を減らすことができる。
【符号の説明】
【００１７】
１００  紙伝送コントロール機構
１１  紙ピックアップローラーセット
１１１  第一紙ピックアップローラー
１１２  第二紙ピックアップローラー
１１３  第三紙ピックアップローラー
１２  圧合機構
１２１  圧板
１２２  圧合ローラー
１３１  モーター
１３２  ベルト
１３３  伝動ギアセット
２０  紙セパレート機構
３０  ディテクト機構
３１  発射端
３２  受信端
４０  画像スキャン機構
４１  紙フィードローラーセット
４１１  紙フィード受動ローラー
４１２  紙フィード主動ローラー
４２  画像スキャンユニット
４３  紙アウトプットローラーセット
４３１  紙アウトプット受動ローラー
４３２  紙アウトプット主動ローラー
【図１】
0003194064.tif 000003
【図２】
0003194064.tif 000004
【図３】
0003194064.tif 000005
【図４】
0003194064.tif 000006